(57)【要約】  身体に面する表面及び衣類に面する表面を含む、長手方向及び横断方向に連続している着用可能物品であって、衣類に面する表面の少なくとも一部が、少なくとも１６の粗さを有する繊維から作製された不織布基材物質であり、繊維直径が約２２μｍ以下である、着用可能物品。パラメータは、物品によりもたらされる触感及び審美的感覚を考慮して、消費者承認の良好な予測性を実現する。
2020508148.tif 000002
【特許請求の範囲】
【請求項１】
身体に面する表面及び衣類に面する表面を含む、長手方向及び横断方向に連続している着用可能物品であって、
前記衣類に面する表面の少なくとも一部が、本明細書における測定によれば、少なくとも約１６、好ましくは少なくとも約１８、より好ましくは少なくとも約２０の粗さ（グレースケール画像の標準偏差）、及び約２２μｍ以下、好ましくは約１７μｍ以下、より好ましくは約１５μｍ以下の繊維直径を有する繊維から作製された、不織布基材である、
着用可能物品。
【請求項２】
前記不織布基材の前記繊維が、本明細書における測定によれば、少なくとも約２０％、好ましくは少なくとも約２２％、より好ましくは少なくとも約２４％のマイクロ孔表面積を有する、請求項１に記載の物品。
【請求項３】
前記不織布基材の前記繊維が、本明細書における測定によれば、少なくとも約５６０、好ましくは少なくとも約５７５、より好ましくは少なくとも約５９０の孔数／１０μｍ２を有する、請求項１又は２に記載の物品。
【請求項４】
前記不織布基材の前記繊維が、本明細書における測定によれば、少なくとも約０．０３９μｍ２、好ましくは少なくとも約０．０４２μｍ２の平均孔径を有する、前記請求項のいずれかに記載の物品。
【請求項５】
前記不織布基材の前記繊維が、本明細書における測定によれば、約１７μｍ以下の直径、及び少なくとも約２７μｍ２、好ましくは少なくとも約２９μｍ２、より好ましくは少なくとも約３３μｍ２の全孔面積／１０μｍを有する、前記請求項のいずれかに記載の物品。
【請求項６】
前記不織布基材が、本明細書における測定によれば、少なくとも約１７ｇｓｍの坪量を有する、前記請求項のいずれかに記載の物品。
【請求項７】
前記不織布基材が、バイコンポーネントフィラメントから作製された通気性カード不織布である、前記請求項のいずれかに記載の物品。
【請求項８】
前記物品が、弾性ベルト領域、股部領域、腰部開口部及び２つの脚部開口部を有するパンツであり、
前記弾性ベルト領域が、内側シート、外側シート、及び前記横断方向に前記弾性ベルト領域を伸縮するよう構成されている複数の弾性体を備える積層体であり、
前記股部領域が、前記衣類に面する表面として外側カバー層を有しており、
前記内側シート、前記外側シート及び前記外側カバー層の少なくとも１つが、前記不織布基材である、
前記請求項のいずれかに記載の物品。
【請求項９】
前記物品が、中央シャーシ、並びに前側ベルト及び後側ベルトを備える輪状様弾性ベルトを備えており、前記前側ベルトの前記中央が、前記中央シャーシの前側腰部パネルに接合されており、前記後側ベルトの前記中央が、前記中央シャーシの後側腰部パネルに接合されており、前記中央シャーシの残りが前記股部領域、前側ベルト及び後側ベルトを形成し、これらのそれぞれが、左側パネル及び右側パネルを有しており、前記中央シャーシは重ならず、前記前側ベルト及び前記後側ベルトの横断方向縁部が、シームによって接合されて、腰部開口部及び２つの脚部開口部を形成し、前記前側ベルト及び前記後側ベルトが、前記長手方向に互いに連続していない、
請求項８に記載のパンツ物品。
【請求項１０】
前記外側カバー層が、前記不織布基材である、請求項８又は９に記載のパンツ物品。
【請求項１１】
前記弾性ベルト領域の前記外側シートが、前記不織布基材である、請求項８〜１０のいずれかに記載のパンツ物品。
【請求項１２】
前記弾性ベルト領域の前記内側シートが前記不織布基材である、請求項８〜１１のいずれかに記載のパンツ物品。
【請求項１３】
本明細書の測定によれば、約７Ｎ未満の伸縮時周囲力を有する、請求項８〜１２のいずれかに記載のパンツ物品。
【請求項１４】
本明細書の測定によれば、少なくとも約２Ｎのフィット時周囲力を有する、請求項８〜１３のいずれかに記載のパンツ物品。
【請求項１５】
衣類に面する表面及び身体に面する表面を備える着用可能物品の衣類に面する表面を作製する材料を選択する方法であって、前記衣類に面する表面の少なくとも一部が、本明細書における測定によれば、少なくとも約１６、好ましくは少なくとも約１８、より好ましくは少なくとも約２０の粗さ（グレースケール画像の標準偏差）、及び約２２μｍ以下、好ましくは約１７μｍ以下、より好ましくは約１５μｍ以下の繊維直径を有する繊維から作製されている不織布基材である、方法。
【発明の詳細な説明】
【技術分野】
【０００１】
本発明は、着用可能物品における使用に好適な不織布基材に関する。
【背景技術】
【０００２】
乳幼児、及び失禁症状のあるその他の個人は、尿及び他の身体排出物を受容及び収容する吸収性物品（おむつなど）を着用する。吸収性物品は、腰部開口部及び脚部開口部を構成するよう着用者又は介護者により固定される締着部材を有するテープ型、又はプルオン型若しくはパンツ型とすることができ、これらは、あらかじめ形成されている脚部開口部に着用者の脚部を入れて、下部胴体あたりの位置に物品を滑り上げることにより着用される。
【０００３】
物品の構造がいずれであろうとも、物品の外側表面又は衣類に面する表面は、使用時に、着用者又は介護者によって最も触られて観察される位置となることがあり、したがって、その特性は、物品の品質及び機能に最も関連する。品質として、望ましいものとなり得るものは、下着のような外観、及びソフト感及びクッションのような触り心地などの心地よい触感である。機能として、望ましいとなり得るものは、しっかりとした着用性を確実にして、ベルト又は締着部材の部分の形態の伸縮性要素である。
【０００４】
一方、製造者の視点から見ると、材料コストあたりの最良のユーザー経験を実現することができるように、材料を選択して組み立てることによって物品を作製するコストを管理すると同時に、高い品質の吸収性物品を提供することが望ましい。
【発明の概要】
【発明が解決しようとする課題】
【０００５】
上述に基づくと、着用性能に妥協することなしに、衣類に面する表面用の触感及び審美的感覚を改善した着用可能物品が必要とされている。更に、着用可能物品を製造するための投資の好都合なリターンを実現するように、材料を選択してそれらを組み立てるよう製造者を案内するパラメータを提供することが更に必要とされている。
【課題を解決するための手段】
【０００６】
本発明は、身体に面する表面及び衣類に面する表面を含む、長手方向及び横断方向に連続している着用可能物品であって、衣類に面する表面の少なくとも一部が、本明細書における測定によれば、少なくとも約１６、好ましくは少なくとも約１８、より好ましくは少なくとも約２０の粗さ（グレースケール画像の標準偏差）、及び約２２μｍ以下、好ましくは約１５μｍ以下の繊維直径を有する繊維から作製された不織布基材物質である、着用可能物品を対象とする。
【図面の簡単な説明】
【０００７】
本明細書の末尾には、本発明を構成するものと見なされる主題を具体的に特定しかつ個別に特許請求する特許請求の範囲が添付されているが、本発明は、実質的に同一の要素が同様の符号を用いて指定されている添付の図面と以下の説明文を併せ読むことで、よりよく理解されるものと考えられる。
【図１】本発明の着用可能物品の一実施形態を示す斜視図である。
【図２】シームが接合されておらず、平らな非収縮状態で衣類に面する表面を見せている、本発明による着用可能物品の一実施形態を示す概略平面図である。
【図３】長手方向の中心線に沿って切り取った図２の断面図である。
【図４Ａ】「繊維表面モルホロジー分析」による、本発明の、及びそうではない不織布基材の繊維のフィルターかけたＳＥＭ写真である。
【図４Ｂ】「繊維表面モルホロジー分析」による、本発明の、及びそうではない不織布基材の繊維のフィルターかけたＳＥＭ写真である。
【図４Ｃ】「繊維表面モルホロジー分析」による、本発明の、及びそうではない不織布基材の繊維のフィルターかけたＳＥＭ写真である。
【図４Ｄ】「繊維表面モルホロジー分析」による、本発明の、及びそうではない不織布基材の繊維のフィルターかけたＳＥＭ写真である。
【図５Ａ】「繊維表面モルホロジー分析」による、図４Ａ〜図４ＤのＳＥＭ写真から抽出したマイクロ孔画像である。
【図５Ｂ】「繊維表面モルホロジー分析」による、図４Ａ〜図４ＤのＳＥＭ写真から抽出したマイクロ孔画像である。
【図５Ｃ】「繊維表面モルホロジー分析」による、図４Ａ〜図４ＤのＳＥＭ写真から抽出したマイクロ孔画像である。
【図５Ｄ】「繊維表面モルホロジー分析」による、図４Ａ〜図４ＤのＳＥＭ写真から抽出したマイクロ孔画像である。
【図６】「物品全体力測定法（Whole Article Force Measurement）」によるハンガータイプの試料保持用固定具の一例を示す概略図である。
【０００８】
定義
本明細書で使用するとき、以下の用語は後に指定される意味を有するものとする。
【０００９】
「着用可能物品」は、パンツ、テープ式おむつ、失禁者用ブリーフ、女性の生理用衣類などの形態であり得る着用物品を指す。「着用可能物品」は、尿、大便、経血など、身体から排出されるさまざまな排出物を吸収し収容するように構成されてもよい。「着用可能物品」は、国際特許公開第２０１１／０８７５０３（Ａ）号に開示されているものなど、吸収及び収容機能を提供するための分離可能な使い捨ての吸収性インサートと接合されるように適合可能である、外側カバーとしての役割を果たし得る。
【００１０】
「パンツ」とは、あらかじめ形成された腰部及び脚部開口部を有する使い捨て吸収性物品を指す。パンツは、着用者の両脚を脚部開口部に挿入し、着用者の下部胴体の周囲の位置までパンツを滑らせることによって着用され得る。パンツは、同様に、一般に、「閉じられたおむつ」、「あらかじめ締結されたおむつ」、「プルオンおむつ」、「トレーニングパンツ」、及び「おむつパンツ」とも呼ばれる。
【００１１】
「長手方向」とは、物品の腰部縁部から反対側の腰部縁部まで実質的に垂直に、及び物品の最大直線寸法に一般に平行に延びる方向を指す。
【００１２】
「横方向」とは、長手方向と垂直な方向を指す。
【００１３】
「近位」及び「遠位」とは、物品の長手方向に対して、近い側の位置又は遠い側の位置をそれぞれ指す。
【００１４】
「身体に面する」及び「衣類に面する」とは、それぞれ、要素、又は要素の表面、又は要素の群の相対位置を指す。「身体に面する」とは、要素又は表面が、何らかの他の要素又は表面よりも、着用時に着用者により近いことを意味する。「衣類に面する」とは、要素又は表面が、何らかの他の要素又は表面よりも、着用時に着用者からより遠く離れている（すなわち、要素又は表面が、使い捨て吸収性物品の上に着用され得る着用者の衣類に対して近位にある）ことを意味する。
【００１５】
「配置される」とは、要素が、ある特定の場所又は位置に置かれていることを指す。
【００１６】
「接合された」とは、１つの要素を他の要素に直接付着させることによって、その要素が別の要素に直接、貼り付けられている構成、及び要素を中間部材に付着させ、その中間部材が更に他の要素に貼り付けられていることによって、その要素が他の要素に間接的に貼り付けられている構成を指す。
【００１７】
「フィルム」とは、材料の長さ及び幅が材料の厚さを大きく上回るシート状材料を指す。一般的には、フィルムは約０．５ｍｍ以下の厚さを有する。
【００１８】
「透水性」及び「不透水性」は、使い捨て吸収性物品が所期の使用の状況における、材料の浸透性を指す。具体的には、用語「透水性」とは、層又は層構造体が、押し圧がない状態で、液体の水、尿又は合成尿が層又は層構造体の厚さを通過可能な、孔、開口部及び／又は相互に接続された空隙を有していることを指す。反対に、用語「不透水性」は、層又は層構造体が、（重力などの自然の力の他に）押し圧がない状態では、液体の水、尿又は合成尿が層又は層構造体の厚さを通過できないことを指す。この定義に従う不透水性の層又は層状構造は、水蒸気に対して透過性であってもよい、すなわち、「蒸気透過性」であってもよい。
【００１９】
「延伸性」及び「延伸可能な」とは、弛緩状態における構成要素の幅又は長さを延伸又は増大させることができることを意味する。
【００２０】
「伸縮性がある」又は「伸縮性を持たせた」とは、構成要素が弾性材から作製された少なくとも一部分を含むことを意味する。
【００２１】
「伸長性材料」、「延伸性材料」、又は「伸縮性材料」は互換的に使用され、付勢力を加えると、破裂又は破断することなく、ＥＤＡＮＡ法２０．２−８９で測定して弛緩した元の長さの少なくとも約１１０％の伸長した長さまで延伸でき（すなわち、元の長さよりも１０％長く延伸でき）、加えた力を除くと、完全に破裂又は破断することなく、その伸びの約２０％未満というわずかな回復を示す材料を指す。そのような伸長可能材料が、加えた力を解放した際に、その伸長量の少なくとも４０％回復する場合、その伸長可能材料は、「弾性」又は「エラストマー性」であると見なされる。例えば、１００ｍｍの初期長さを有する弾性材料は、少なくとも１５０ｍｍまで伸長することができ、力を取り除くと少なくとも１３０ｍｍの長さまで収縮する（すなわち、４０％の回復を示す）。加えた力を解放した際に、材料の回復が、その伸長量の４０％未満である場合、その伸長可能材料は、「実質的に非弾性」又は「実質的に非エラストマー性」であると見なされる。例えば、１００ｍｍの初期長さを有する伸長可能材料は、少なくとも１５０ｍｍまで伸長することができ、力を取り除くと少なくとも１４５ｍｍの長さまで収縮する（すなわち、１０％の回復を示す）。
【００２２】
「アートワーク」は、裸眼に対する目視による見え方であり、これは、印刷により、又はそうでない場合、色調を持たせることにより実現される。印刷としては、リトグラフィ印刷技法、スクリーン印刷技法、フレキソ印刷技法及びグラビアインクジェット印刷技法などの、当業者に周知のさまざまな方法及び装置が挙げられる。
【００２３】
本明細書において、「色調」又は「着色」という用語は、白色以外のいずれかの原色、すなわち、黒色、赤色、青色、紫色、オレンジ色、黄色、緑色及び藍色、並びにそれらの淡色又は混合色のいずれかを含む。白色は、ＣＩＥ  Ｌ＊ａ＊ｂ＊色調システムに従い、Ｌ＊は、少なくとも９４の値を有しており、ａ＊の値が０±２に等しく、ａ  ｂ＊値が０±２に等しいそのような色として定義される。
【発明を実施するための形態】
【００２４】
図１は、パンツ型の本発明の着用可能物品２０の実施形態の斜視図であり、図２は、シームが接合されておらず、かつ平らな非収縮状態で衣類に面する表面を示している、同一物品の概略平面図である。着用可能物品２０は、長手方向軸線としての役割も果たす長手方向中心線Ｌ１と、横断方向軸線としての役割も果たす横断方向中心線Ｔ１とを有する。着用可能物品２０は、身体に面する表面、衣類に面する表面、前側領域２６、後側領域２８、股部領域３０、及び前側領域２６と後側領域２８とを接合して２つの脚部開口部及び腰部開口部を形成させるシーム３２を有する。衣類に面する表面の少なくとも一部は、以下に詳細に記載されている本発明の指定の不織布基材によって作製された不織布基材物質である。着用可能物品２０は、着用者の股部領域を覆うための中央シャーシ３８、前側ベルト８４及び後側ベルト８６を備えるベルト型パンツとすることができ（本明細書のこれ以降、「前側ベルト及び後側ベルト」と称することがある）、前側ベルト及び後側ベルト８４、８６は、横断方向に延在して腰部開口部を画定する、個別の輪状様弾性ベルト４０（本明細書では、これ以降、「腰部ベルト」と称することがある）を形成する。ベルト型パンツの場合、個別の輪状様弾性ベルト４０はまた、弾性ベルト領域４０と称することがある。ベルト型パンツの場合、前側ベルト及び後側ベルト８４、８６、並びに中央シャーシ３８は、一体となって脚部開口部を画定する。着用可能物品２０は、ユニボディパンツであってもよく、この場合、中央シャーシ３８が、前側ベルト及び後側ベルト８４、８６と連続しており、脚部開口部は、連続して形成されている。ユニボディパンツの場合、サイドシーム間に存在するベルト部分は、弾性ベルト領域４０と見なされ、この領域は、サイドシームの近位縁部の間に、横断方向につながる仮想上の線により端をなすと見なされる。弾性ベルト領域４０を除く物品の残りは、股部領域３０と見なされる。
【００２５】
図示していないが、本発明の着用可能物品２０は、長手方向中心線Ｌ１、横断方向中心線Ｔ１、身体に面する表面及び衣類に面する表面を有する、テープ型であってもよい。着用可能物品２０は、前側領域２６、後側領域２８及び股部領域３３を備える、中央シャーシ３８を有していてもよく、それぞれは、長さが３に等しい長手軸に沿って分割されている横断方向に延在している線によって画定されている。前側領域２６及び／又は後側領域２８には、腰部開口部及び脚部開口部を構成する物品を固定するための締着部材が設けられていてもよい。締着部材は、中央シャーシ３８に伸縮部分を連結する連結部分により作製されていてもよく、伸縮性部分は、横断方向に伸縮性であり、ホックなどの係合要素を有する係合部分である。前側領域２６及び／又は後側領域２８には、締着部材の係合要素を収容するためのランディングゾーンが設けられていてもよい。このランディングゾーンは、ホック又は接合された不織布材料と係合可能なループであってもよく、不織布材料は、本発明の不織布基材を含む。
【００２６】
図３を参照すると、中央シャーシ３８は、バックシート６０、及びバックシート６０の衣類面側を収容するための外側カバー層４２を備える。バックシート６０は、水非透過性フィルムであってもよい。外側カバー層４２は、本発明の不織布基材であってもよい。中央シャーシ３８は、中央シャーシ３８に配設された身体浸出物を吸収して含有するための吸収性コア６２を含んでいてもよい。図２に示される実施形態では、中央シャーシ３８は、一般に、矩形形状の左側及び右側の長手方向に延在する側縁部４８（本明細書のこれ以降は、「側縁部」と称することがある）、並びに前側及び後側の横断方向に延在する端部縁部５０（本明細書のこれ以降は、「端部縁部」と称されることがある）を有する。中央シャーシ３８はまた、着用可能物品２０の前側領域２６に位置決めされている前側腰部パネル５２、後側領域２８に位置決めされている後側腰部パネル５４、及び股部領域３０における前側と後側腰部パネル５２、５４との間の股部パネル５６を有する。前側ベルト８４の中央は、中央シャーシ３８の前側腰部パネル５２に接合されており、後側ベルト８６の中央は、中央シャーシ３８の後側腰部パネル５４に接合されており、前側及び後側ベルト８４、８６はそれぞれ、中央シャーシ３８が重ならない左側パネル及び右側パネル８２を有する。
【００２７】
本発明のパンツ型物品の弾性ベルト領域は、取り付け力を動的に生じるよう、及び着用中に動的に生じる力を分布させるように作用する。近位縁部９０は、中央シャーシ３８の股部パネル５６に対して、遠位縁部８８よりも近接して配置されている。前側及び後側ベルト８４、８６は、側縁部８９のみにおいてシーム３２で互いに接合されて、腰部開口部及び２つの脚部開口部を有する着用可能物品を形成することができる。脚部開口部にはそれぞれ、脚部開口部の外周のまわりに弾性体（elasticity）が設けられていてもよい。ベルト型パンツの場合、脚部開口部のまわりの弾性体は、前側ベルト８４、後側ベルト８６、及び中央シャーシ３８からの任意のものからの弾性体の組合せによりもたらされる。
【００２８】
バックシート６０及び外側カバー層４２の横断方向の幅は、同じであってもよく、又はさまざまであってもよい（図示せず）。例えば、バックシート６０は、外側カバー層４２のそれと比べて、より短い横断方向の幅を有してもよい。このような構成によって、脚部開口部の部分を作る股部パネル５６の長手方向の側縁部４８は、一層良好な通気性を有することができる。更に、このような構成は、コスト削減を実現することができる。
【００２９】
パンツ型物品の前側ベルト８４及び後側ベルト８６は、ベルト４０に弾性を付与するよう構成されている。前側ベルト８４及び後側ベルト８６は、それぞれ、横方向につながる複数の弾性体９６、内側シート９４、外側シート９２及び外側シート折り重なり部９３を備える積層体により形成され得、外側シート折り重なり部９３は、前側ベルト及び後側ベルトの遠位縁部８８において、外側シート材料を折り重ねることにより形成されている外側シート材料を延伸したものであり、ベルト弾性体９６は、これらのシートの２つの間に挟まれている。外側シート９２は、本発明の不織布基材であってもよい。外側シート９２及び内側シート９４は、本発明の不織布基材であってもよい。外側シート９２は、外側カバー層４２と同じ本発明の不織布基材から作製されて、物品にとって審美的感覚と触感を統合することができる。
【００３０】
テープ型又はパンツ型のいずれかの本物品の衣類に面する表面、及びパンツ型物品の弾性ベルト領域４０は、物品の機能及び品質に密接に関連することがあり、こうして、これらの表面を形成するための材料は、物品にとって望ましいものを実現するために、製造者により慎重に選択される。これらの表面のソフトで絹のようで、クッションのような高級感のある触感、及びこれらの表面の下着のような外観は、高品質に関連することができ、したがって、一般に、ユーザーにより都合よく許容される。ユーザーは、着用者又は介護者とすることができる。こうして、上述の触感及び審美的感覚を実現する材料の使用が望ましい。しかし、その材料は、ユーザーによりその性能を試験するために最後に組み立てられた物品を作製しなければならないことによって、材料を選択するために、多大な資源を必要とする。物品として組み立てる際に、その触感及び審美的承認を予期するために、材料それ自体の一式の測定可能なパラメータの使用により、材料の選択方法を持つことは有利になると思われる。
【００３１】
本発明の不織布基材の触感及び審美的承認は、本明細書における「繊維表面モルホロジー分析」によって、予測することができ、ここでは、対象の不織布基材の繊維のＳＥＭ写真の画像を、以下に詳細に記載されている、画像解析ソフトウェアの手助けにより解析する。図４Ａ〜図４Ｄを参照すると、これらは、本発明の不織布基材及び他の繊維により得られるこの方法により撮影したフィルターをかけたＳＥＭ画像写真である。図４Ａ〜図４Ｄは、以下に記載されている、繊維直径、粗さ（グレースケール画像の標準偏差）、歪度及び尖度パラメータを得るために使用する。図５Ａ〜図５Ｄは、やはり以下に詳細に記載した方法による、図４Ａ〜図４Ｄの写真から抽出したマイクロ孔画像である。図５Ａ〜図５Ｄは、以下に記載されている、マイクロ孔表面積（％）、孔数／１０μｍ２（値）、平均孔径（μｍ２）及び全孔面積／１０μｍ（μｍ２）パラメータを得るために使用する。
【００３２】
図４Ａ及び以下のデータ点を参照すると、本発明の不織布基材は、本発明の測定によれば、少なくとも約１６、又は少なくとも約１８、又は少なくとも約２０の粗さ（グレースケール画像の標準偏差）、及び約２２μｍ以下、又は約１７μｍ以下、又は約１５μｍ以下の繊維直径を有する。理論によって拘泥されないが、ある閾値未満の繊維直径を有する不織布基材は、相対的により高い粗さ（グレースケール画像の標準偏差）を有すると同時に、好都合な皮膚への触感を実現すると考えられる。不織布基材の繊維直径がある閾値未満である場合、個々の繊維間の間隔及び繊維の表面モルホロジーは、触覚によりもはや感じることができないと考えられる。一方、繊維の粗さ（グレースケール画像の標準偏差）が大きくなる程、皮膚への繊維表面の接触が少なくなり、こうして、接触時の熱の伝導性をより小さくなり、こうして、暖かいソフトな触感が感じられる。したがって、理論によって拘泥されないが、比較的小さな繊維直径と比較的大きな粗さ（グレースケール画像の標準偏差）とを組み合わせると、皮膚に対する好都合なソフトな触感を実現する。
【００３３】
図５Ａ及び以下のデータ点を参照すると、本発明の不織布基材は、本発明における測定によれば、少なくとも約２０％、又は少なくとも約２２％、又は少なくとも約２４％のマイクロ孔表面積を有することができる。本発明の不織布基材は、本発明における測定によれば、少なくとも約５６０、又は少なくとも約５７５、又は少なくとも約５９０の孔数／１０μｍ２を有することができる。孔数／１０μｍ２のパラメータは、繊維表面の粗さを示すと考えられる。本発明の不織布基材は、本発明における測定によれば、少なくとも約０．０３９μｍ２又は少なくとも約０．０４２μｍ２の平均孔径を有することができる。平均孔径のパラメータは、表面接触度を示すと考えられ、孔径が大きくなるほど、表面接触は少なくなる。本発明の不織布基材は、本発明における測定によれば、約１７μｍ以下の直径、及び少なくとも約２７μｍ２又は少なくとも約２９μｍ２又は少なくとも約３３μｍ２の孔数／１０μｍを有することができる。全孔面積／１０μｍのパラメータは、繊維表面の粗さを示すと考えられる。要約すると、理論によって拘泥されないが、孔数／１０μｍ２、平均孔径又は全孔面積／１０μｍが大きいほど、皮膚への触感はソフトになる。
【００３４】
図４Ａ及び以下のデータ点を参照すると、本発明の不織布基材は、歪度が負の値を有することがある。本発明の不織布基材は、約３未満の尖度を有することがある。理論によって拘泥されないが、このようなモルホロジー特徴は、皮膚へのソフトで絹のような触感に更に寄与すると考えられる。
【００３５】
したがって、本明細書における「繊維表面モルホロジー分析」とは、物品として組み立てた際に、不織布基材によりユーザーに触感及び審美的承認がもたらされる場合に、予想することができる。図４Ｂ〜図４Ｄ及び図５Ｂ〜図５Ｄ、並びに以下のデータ点を参照すると、本発明と組成が類似した繊維から作製される不織布基材材料であるが、本発明の不織布基材材料とは異なる「繊維表面モルホロジー分析」特徴を示す、不織布基材材料が存在する。本発明の不織布基材の繊維は、類似の繊維直径を有する繊維と比べて、繊維表面が予期せぬほどに高い粗さを示す。理論によって拘泥されないが、本発明の不織布基材のこれらの固有のパラメータは、皮膚へのソフトで、絹のようでクッションのような高級感のある触感が改善されていると考えられる。
【００３６】
本発明の不織布基材は、高級感のある下着のような外観及び手触り、例えば少なくとも約０．２５ｍｍ又は少なくとも約０．３ｍｍをもたらすある種の材料厚さを有することができる。本発明の不織布基材は、少なくとも約１７ｇｓｍ、又は少なくとも約２０ｇｓｍの坪量を有することができる。本明細書における坪量及び材料厚さは、以下の「厚さ及び坪量の調製」によって最終製品から得られた材料に関するものであり、それぞれ、５００Ｐａまでの負荷という修正を含む「基本キャリバー法（Base caliper method）−ＡＳＴＭ  Ｄ６５４紙及び板紙の厚さの標準試験法」、及び「坪量−ＡＳＴＭ  Ｄ  ７５６加速使用条件下でのプラスチックの重量及び形状変化の決定に関する実践」によって測定される。本発明の不織布基材に好適なものは、共心バイコンポーネント繊維、コア偏心バイコンポーネントフィラメントにより作製された圧着繊維、又はサイドバイサイドバイコンポーネントフィラメントから作製された、通気性カード不織布材料である。本発明の不織布基材に好適な材料の非限定例としては、Ｄａｙｕａｎ（北京、中国）から入手可能な商標名ＦＪ２０６によるものなどの、直径が１５μｍ未満のＰＥ／ＰＥＴバイコンポーネントステープル繊維から作製された、２０〜５０ｇｓｍの通気性カード不織布基材が挙げられる。
【００３７】
図２を参照すると、本発明のベルト型パンツ物品の実施形態が、更に詳細に記載されている。前側ベルト８４及び後側ベルト８６はそれぞれ、弾性体９６、内側シート９４、外側シート９２及び外側シート折り重なり部９３だけにより作製することができる。ベルト弾性体９６は、横断方向に延在して、前側ベルト８４及び後側ベルト８６が接合されると、輪状様弾性ベルト４０をもたらすことができる。弾性体９６の少なくとも一部は、互いに実質的に平行な横断方向に延在している。弾性体９６はすべて、互いに実質的に平行な横断方向に延在していることがある。このような物品は、経済的に作製することができる。前側ベルト及び後側ベルト８４、８６はそれぞれ、横断方向に連続した近位縁部及び遠位縁部を有することができ、近位縁部９０は、物品の長手中央に対して、遠位縁部８８よりも近くに位置している。弾性体９６は、同じ又は異なるデニール、間隔、及び前側と後側の間の力で、並びにベルトの異なる長手方向の位置で配設され得る。
【００３８】
前側ベルト及び／又は後側ベルト８４、８６は、中央シャーシ３８の前側及び／又は後側腰部パネル５２、５４と重なるある領域が、弾性体が除かれるように取り扱われてもよい。中央シャーシ３８が、吸収性コア６２と重なる前側領域及び／又は後側領域における弾性体により、吸収層又は吸収性コア６２における層のいずれかが折り重なり、かつ着用者に中央シャーシ３８がぴったりと収まるのを妨害するおそれのある点で、中央シャーシ３８が吸収性コア６２を備える場合、前側腰部パネル及び／又は後側腰部パネル５２、５４のある領域から弾性を除くことが有利となることがある。一実施形態では、弾性体の少なくとも一部、又は少なくとも１０％、又は少なくとも２０％、又は少なくとも３０％、弾性体の少なくとも１つ、少なくとも半分又は少なくとも２／３が、中央シャーシ３８の前側及び後側腰部パネル５２、５４と重なる領域で取り除かれる。図２を参照すると、弾性体９６が吸収性コア６２と重なる全面積は、前側ベルト８４と同様に、その弾性が取り除かれ得る。代替的に、後側ベルト８６に見られるように、吸収性材料の非存在領域６１と重なり、吸収性コア６２の遠位縁部の方向にある弾性体９６は、中央シャーシ３８の良好なフィット感にとって能動的な弾性で配設され得る。これは、漏出の防止に有利なことがある。
【００３９】
図２を参照すると、非収縮状態にある後側ベルト８６の横断方向幅ＬＷは、同じ状態の前側ベルト８４の横断方向幅と同じであってもよい。このような物品は、経済的に作製することができる。
【００４０】
後側ベルト８６の全幅ＬＷに沿った、後側ベルト８６の後側遠位縁部８８と後側近位縁部９０との間の長手方向長さＬＢは、前側ベルト８４の前側遠位縁部８８と前側近位縁部９０との間の長手方向長さＬＦとほぼ同じであってもよい。このような構成では、シーム３２は、物品を形成するよう、同じ長さの前側ベルト及び後側ベルト８４、８６、側縁部８９を閉じている。このような物品は、経済的に作製することができる。
【００４１】
後側ベルト８６は、前側遠位縁部８８と前側近位縁部９０との間の前側ベルト８４の長手方向長さＬＦよりも大きな、横断方向における後側ベルト８６の全幅ＬＷに沿った、後側遠位縁部８８と後側近位縁部９０との間の長手方向長さＬＢを有することができる（図１及び図２）。このような構成では、着用可能物品が組み立てられて、腰部開口部及び脚部開口部が形成されるとき、着用可能物品２０は、前側遠位縁部８８が後側遠位縁部８８と位置合わせされるように、横断方向中心線Ｔ１に沿って折り畳まれる。前側側縁部８９もまた、後側側縁部８９の一部分と位置合わせされる。次に、前側ベルト８４及び後側ベルト８６が、前側及び後側側縁部８９においてシーム３２で接合される。しかし、前側及び後側近位縁部９０は互いに位置合わせされなくてもよい。後側近位縁部９０は、後側側部パネル８２の近位部分が前側近位縁部９０を超えて中央シャーシ３８の股部パネル５６の方向に延在するように、横断方向中心線Ｔ１に対して長手方向に前側近位縁部９０よりも近くに配設されてもよい。後側側部パネル８２の近位部分の側縁部は、どこにも接合されず、付着されていなくてもよい。このようにして、後側側部パネル８２の近位部分は、図１に示すような臀部カバー９５を提供する。
【００４２】
本発明の物品は、好適な伸縮時周囲力（Ｎ）を有することがある。伸縮時周囲力により意図されるものは、物品に手及び伸縮開口部を挿入するとき、ユーザーが感じる最初の伸縮体験を疑似すると考えられている、ある種の伸縮レベルでの負荷力である。伸縮により物品が開口される際に、ユーザーが感じると考えられる伸縮のレベルは、「４７０ｍｍの伸縮時周長」によって表される。４７０ｍｍの寸法は、本出願人による検討に基づいて選択され、これにより、体重６〜２０ｋｇを有する子供の恥骨に一致する高さにおける、平均の直立時周長（ｍｍ）は、１０００名を超える対象からのデータに基づいて、４７３ｍｍであった。すなわち、パンツ物品を着用するための一般的な習慣によれば、ユーザーは、パンツ物品の弾性ベルト領域を、着用者の身体の腰周長のそれよりも、大きく又は小さく一致させた周長まで伸縮開口すると思われる。６〜２０ｋｇの体重は、サイズ３〜６（サイズＭ〜ＸＸＬ）のパンツ物品用の着用者の推奨される体重と一致する。本発明の物品は、約７Ｎ以下、又は約６．５Ｎ以下、又は約６Ｎ以下の伸縮時周囲力を有する。このような伸縮時周囲力を持たせることによって、弾性ベルトは、容易に開口して、施用することができる。理論によって拘泥されないが、伸縮時周囲力が低いほど、弾性ベルト領域は、より小さな力で伸縮され得、こうして、ユーザーによる弾性ベルト領域の触感は一層ソフトなものとなると考えられる。
【００４３】
本発明の物品は、好適なフィット時周囲力（Ｎ）を有することができる。フィット時周囲力が意味するものは、物品を着用している間、着用者が感じる力を模擬すると考えられる、ある伸縮レベルでの負荷解除力である。物品を着用している間、着用者が感じると考えられる伸縮レベルもやはり、「４７０ｍｍの伸縮時周長」によって表される。本発明の物品は、約２Ｎ以上のフィット時周囲力を有する。このようなフィット時周囲力を持たせることによって、弾性ベルトはたるみ及び漏れを防止するほど良好なフィット感を実現する。
【００４４】
理論によって拘泥されないが、約２Ｎ以上のフィット時周囲力と組み合わせた、約７Ｎ以下となる比較的に低い伸縮時周囲力を持たせることにより、容易な施用及びやはり確実なソフトなフィット感を有する弾性ベルト領域を実現することができると考えられる。理論によって拘泥されないが、上述の伸縮時周囲力及びフィット時周囲力を実現することにより、本発明のパンツ型物品は、物品を触った際、施用した際、及び着用した際に、ユーザーに総合的に満足のいく触感を実現すると考えられる。
【００４５】
図３を参照すると、ベルト型パンツの場合、前側ベルト及び後側ベルト８４、８６は、股部領域３０において互いに不連続であり、外側カバー層４２は、股部領域３０の衣類に面する表面である。外側カバー層４２は、前側腰部パネル５２及び後側腰部パネル５４の長手方向に一部だけ延在して、外側カバー層４２を含まない、前側腰部パネル５２及び後側腰部パネル５４の遠位部分を残すことができる。すなわち、外側カバー層４２の長手方向長さは、股部パネル５６の長手方向長さよりも長いことがあり、バックシート６０の長手方向長さよりも短いことがある。このような構成によって、前側腰部パネル５２及び後側腰部パネル５４の遠位部分は、外側カバー層４２がなく、物品全体に良好な通気性を実現する。更に、これにより、外側カバー層４２の材料のコスト削減を実現することができる。したがって、図３の中央シャーシ３８の衣類に面する表面とバックシートとの間の要素の層を見ると、外側カバー層４２が存在する腰部パネル５２の上に配設された移行領域３４が存在している。移行領域３４の長手方向長さは、できるだけ短く、例えば、約２０ｍｍ未満、又は約１５ｍｍ未満、又は約１０ｍｍ未満で作製することができる。更に、接着部は、移行領域３４の全領域に施用することができ、又は全領域は、移行領域３４の遠位縁部から、長手方向に、最大５ｍｍ以下まで残す。経済的に着用可能物品にとって魅力的なアートワークを実現するため、印刷は、バックシート６０の衣類面側に行われてもよい。移行領域３４をできるかぎり短く設ける、透明性を増強する移行領域３４への接着部を適用する、又は移行領域３４におけるアートワークを表示することを単に回避することにより、アートワークと観察者との間の材料からなる異なる層の上のアートワークの外観が損なわれるのを回避することができる。
【００４６】
代替的に、バックシート６０の上に設けられたアートワークは、弾性ベルト領域４０及び股部領域３０を通過して延在すると、股部領域３０における領域に比べて、明るさが低下してコントラストが増大した、ベルト領域４０におけるアートワークの領域を設けることができ、こうして、アートワークの明度は、衣類面側からの物品として観察した場合に、実質的に類似して見える。明るさが低下し、コントラストが向上したアートワークを設けることにより、このアートワークは、材料層の上を覆うことによってもたらされる不透明さによって影響をそれほど受けない。
【００４７】
代替として及び／又は更に、弾性ベルト領域４０のアートワークは、内側シート９４の衣類に面する表面又は外側シート９２の身体に面する表面に印刷することができ、股部領域３０におけるアートワークは、バックシート６０上に印刷することができる。これらの指定層にアートワークを印刷することにより、衣類に面する表面と印刷との間の層の数を等しくすることができ、こうして、外観の差異は軽減され得る。外側シート９２と外側カバー層４２との間の不透明性の差異は、不透明性の一致した層を選択することにより、又は同じ材料を配設することにより最小化され得る。弾性ベルト領域４０のアートワークは、インクによって、又は所定の形状の着色ウェブを配設することにより、内側シート９４又は外側シート９２に直接、印刷することができる。
【００４８】
上記のとおり、前側ベルトは、長手方向長さＬＦを有することができ、後側ベルトは、長手方向長さＬＢを有することができ、外側シート折り重なり部９３は、前側ベルトと後側ベルトの遠位縁部８８における外側シート材料を折り畳むことにより形成される。前側外側シート折り重なり部９３は、少なくとも約０．３ＬＦ、又は約０．３ＬＦ〜約０．７ＬＦ、又は約０．５ＬＦ〜約０．７ＬＦの長手方向長さを有することができる。後側外側シート折り重なり部は、前側外側シート折り重なり部の長さに一致する長手方向長さを有することができる。すなわち、後側の外側シート折り重なり部は、前側の外側シート折り重なり部とほぼ同じ長さを有することができる。
【００４９】
上記のとおり、弾性ベルト領域４０は、横断方向につながる複数の弾性体９６により弾性を示し、この場合、弾性体９６は、内側シート及び外側シート９２、９４に付着する。弾性ベルト領域４０の引張応力は、以下の方法の１つ以上によって調節することができる；１）弾性体９６の伸び率；２）弾性体９６の密度（ｄｔｅｘ）；３）複数の弾性体９６の長手方向の間隔；及び４）横断方向に弾性体９６の弾性体の有効長さ。弾性体は、約４７０〜約１１００のｄｔｅｘを有する弾性ストランドとすることができ、約１１０％〜約２９０％の伸びで配設され得る。伸びとは、「０％伸び」は、弾性体９６の元々の長さを意味する。一部の弾性体は、ある領域におけるより高い引張応力をもたらすよう配設することができる。より高い引張応力のこのような１つ以上の弾性体は、２〜４ｍｍの間の列内の間隔を有する２〜４つの弾性ストランドを並べて配設され得る。この列は、腰部開口部から約０．５ＬＦ〜約０．８５ＬＦの長手方向長さの間で前側ベルトに配設することができる。列は、腰部開口部から約０．２５ＬＦ〜約０．５ＬＦの長手方向長さの間で後側ベルトに配設することができる。
【００５０】
本発明のパンツ型物品は、総合的なソフトさ及び容易な施用の感覚、着用者にとっての着用が快適であることを実現し、これにより、着用者が容易に、下着のようなかつ総合的に高い質で動くことが可能になる。
【００５１】
１．繊維表面モルホロジー分析
１−１．試料調製
不織布基材物質の試料中の繊維の表面モルホロジーは、ＨｉｔａｃｈｉモデルＳ−４８００、又は同等の機器などの走査型電子顕微鏡（ＳＥＭ）を使用することにより求まる。材料は、他の層から優しくはがして、これを５ｍｍ×５ｍｍの好適なサイズに裁断することにより、接着部がほとんどない部分から吸収性物品の衣類に面する表面からサンプリングされる。試料は、炭素製テープにより、試料用ステージにマウントされる。次に、試料に白金でスパッタリングして帯電を回避し、１５ｍＡの電流及び１２０秒のコーティング時間の条件下で、総合的な導電性を改善する。続いて、白金コーティング試料をＳＥＭ試料用チャンバに移す。この後、このチャンバ−圧力を１×１０−３Ｐａ未満に制御する。
【００５２】
１−２．機器調製
３ｋＶの加速電圧をかける。５，０００倍の拡大、及び約８ｍｍの作業距離を選択し、こうして繊維を測定のため、好適に拡大する。繊維長さの方向は、水平方向に実質的に並べて、画像ディスプレイの垂直方向の実質的に中央の位置に位置決めされる。不織布基材材料の試料全体で、合計で５つの繊維を無作為に選択し、９６０ピクセル（高さ）×１２８０（幅）の解像度で、８ビットのｊｐｅｇ画像によるＳＥＭ画像を使用して画像化する。
【００５３】
１−３．表面モルホロジー及び繊維直径分析
繊維直径、粗さ（グレースケール画像の標準偏差）、歪度、尖度、マイクロ孔表面積（％）、孔数／１０μｍ２（値）、平均孔径（μｍ２）及び全孔面積／１０μｍ（μｍ２）は、米国国立衛生研究所のＷａｙｎｅ  Ｒａｓｂａｎｄにより開発された画像Ｊソフトウェア（１．４８ｖ又は後続版）、又は同等なソフトウェアを用いてＳＥＭ画像を解析することにより得られる。図４Ａ〜図４Ｄは、さまざまな不織布繊維に関するこの方法によって撮影したフィルターをかけたＳＥＭ画像写真である。
【００５４】
次に、測定スケールはＳＥＭスケールバーを参照して設定すべきである。次に、繊維直径は、線器具を使用することにより測定する。表面モルホロジー分析に関すると、ＳＥＭ画像は、繊維のほとんど全幅を含むが、繊維縁部における光反射部分を避けた、繊維部分しかキャプチャしていない矩形形状に取得される。取得された矩形形状の繊維の長さは、少なくとも２０μｍの長さを有するべきである。表面モルホロジー情報は、繊維の基礎円筒形状を含む。基礎円筒形状は、０〜２０ピクセルの範囲及び自動スケール調節に設定したＦＦＴバンドパスフィルターを使用することにより除去する。コントラスト及び白さは、できるかぎり多くの表面モルホロジーをキャプチャするよう調節される。図５Ａ〜図５Ｄは、この方法による、図４Ａ〜図４Ｄの写真から抽出したマイクロ孔画像である。粗さ（グレースケール画像の標準偏差）、歪度、尖度、領域μｍ２（画像領域）及び幅μｍ（画像幅）は、標準測定機能を使用することにより得る。面積μｍ２は、後の分析に使用する。閾値は、更なる分析のために、低い方の側から３５％パーセンタイルに最も近くに設定する。数、合計面積、平均サイズ及び％領域の値は、０．０１〜無限大の「サイズ」、及び０．０５〜１．００の「真円度」に設定した「粒子分析」器具を使用することにより得られる。マイクロ孔表面積（％）、孔数／１０μｍ２（値）、平均孔径（μｍ２）及び全孔面積／１０μｍ（μｍ２）は、以下のとおり定義する。
マイクロ孔表面積＝％面積（算出しない）
孔数／１０μｍ２＝計数／面積μｍ２×１００
平均孔径＝平均サイズ（μｍ２）
全孔面積μｍ２／１０μｍ＝合計面積／幅（画像幅）×１０
各試験試料は、上の説明に従い、５枚のＳＥＭ繊維画像にわたり解析する。各測定の平均値を得て、試験試料の代表的な測定値を定義する。
【００５５】
２．厚さ及び坪量の調製
完成物品に使用される材料の厚さ及び坪量を測定するために、以下のサンプリング手順を採用する。
【００５６】
完成物品から試料を得るために、利用可能な場合、変形していないか、又はしわのない領域を選択する。パンツ型物品の内側シート９４又は外側シート９２の場合、利用可能なとき、弾性体が非活性化されている場合の領域を選択する。外側シート９２、内側シート９４又は外側カバー層４２は、「Ｑｕｉｋ−Ｆｒｅｅｚｅ（登録商標）」型冷却スプレー又は不織布組成の特性を恒久的に改変しない他の好適な方法を施用するなどの技法によって、ベルト積層不織布層又はバックシートフィルムなどの他の構成要素から分離される。技術面側とは、外側シート９２、又は外側カバー層４２用の衣類に面する表面として、及び内側シート９４の身体に面する表面として使用するよう意図されている表面である。分離過程の間に、不織布組成物の伸縮を防止するよう注意を払うべきである。試料を得るため、カッター及び１００ｃｍ２のダイを使用して１００ｍｍ×１００ｍｍの正方形形状に裁断する。
【００５７】
坪量の測定に関すると、任意の残留接着部を溶媒としてテトラヒドロフラン（ＴＨＦ）を使用する以下の工程により試料から除去する。
１．フード中で、３〜４リットルのビーカーに１リットルのＴＨＦを移す。
２．１リットルのＴＨＦに試料を浸漬する。
３．ビーカーを震とうテーブルに置き、１５分間、おだやかに撹拌して、更に５分間、試料を含む溶液を静置する。
４．ＴＨＦ溶液から試料を取り出し、試料からＴＨＦ溶液を注意深く絞る。
５．最低１５分間、フード中で試料を空気乾燥する。
【００５８】
サンプルは、１０の完成物品から得て、それぞれ一式の測定を行うために、各物品の同一領域から切り出す。試料は、２３±２℃及び５０±５％相対湿度において、試験前に少なくとも２時間、維持した部屋で試料をあらかじめ状態調節する。
【００５９】
３．物品全体の力測定
ＭＴＳ  Ｃｒｉｔｅｒｉｏｎ  Ｃ４２  ｒｕｎｎｉｎｇ  ＴｅｓｔＷｏｒｋｓ４  Ｓｏｆｔｗａｒｅ（ＭＴＳ  ＳＹＳＴＥＭＳ（中国）ＣＯ．，ＬＴＤから入手可能）、又は同等の機器などのコンピュータインタフェースを備えた、電気式引張試験機を使用して、パンツ型物品の力を測定する。試験される試料に対する力が、使用するロードセルの能力の１０〜９０％になるように、ロードセルを選択する。機器は、メーカーの指示書にしたがって較正する。試験はすべて、２３±２℃、相対湿度５０±５％に維持された室内で行う。
【００６０】
引張試験機に、図６に示されるような、ハンガータイプの試料保持固定具３００を装備する。各固定具は、試験中に試料が滑るのを防ぐために、剛性で直線状の、ゴムでコーティングされた水平バー部分３０２を備える。水平なバー部のバーの外径（ゴムコーティングを含む）は１０．０ｍｍである。水平なバー部３０２の中央軸線は、全テスト過程を通して平行で同一鉛直面内に保たれるように構成されている。基準周長は、次式によって決定される。
基準周長＝２×（Ｈ＋Ｄ＋πＤ／２）
式中、Ｈは水平バー部分３０２間の垂直方向ギャップ、Ｄはバーの外径である。
【００６１】
機器は、以下の工程をこなすように設定される。
【００６２】
【表１】
2020508148.tif 000003
【００６３】
バーが物品の腰部開口部及び一方の脚部開口部を通るように、試料物品２０を上側の水平バー部分３０２上に挿入する。試験片が下側のバーの上方でぶら下がり、下側のバー３０２に触れなくなるまで、クロスヘッドを持ち上げる。ロードセルの風袋を差し引き、物品を伸長させずに下側のバー３０２を腰部開口部及び他方の脚部開口部に入れることができるように、クロスヘッドを下降させる。物品を調節して、物品の長手方向中心線Ｌ１が上側及び下側のバー３０２の真ん中で水平面内にあるようにする。バー３０２と接触している側部部分の中央が、機器のロードセルと同じ垂直軸線上に位置するようにする。物品を必要に応じて手で適所に保持しつつ、不要な力が加わらないように注意しながら、力が０．０５〜０．１Ｎになるまでクロスヘッドをゆっくり持ち上げる。この時点での基準周長が初期基準周長である。試験を開始し、１９．６Ｎの力が得られるまでクロスヘッドを２５４ｍｍ／分で上に移動させ、次いで同じ速度でクロスヘッドを直ちに初期基準周長に戻す。試験の伸長セグメントの間の１９．６Ｎの極大周長を記録する。
【００６４】
１９．６Ｎの極大周長を全周（ｍｍ）として定義する。４７０ｍｍの最大周長を４７０ｍｍの伸縮時周長（ｍｍ）として定義する。伸縮時周囲力は、試験の負荷（伸長）セグメントの間の４７０ｍｍの伸縮時周長での力として定義する。フィット時周囲力は、試験の負荷（収縮）セグメント中に、４７０ｍｍの伸縮時周長になったときの力として定義する。
【００６５】
５つの試料を分析し、それらの平均初期基準周長、平均全周、平均伸縮時周囲力及び平均フィット時周囲力を算出し、それぞれ、１ｍｍ又は０．０１Ｎ単位で報告する。
【実施例】
【００６６】
こうして、パンツ型の着用可能物品の構造を有する実施例１、及びＡ〜Ｃが得られ、一部に、上記の測定、及び以下に記載した消費者承認試験を行う。
【００６７】
例１：Ｄａｙｕａｎ（北京、中国）から入手可能な商標名ＦＪ２０６（１５μｍの直径のＰＥ／ＰＥＴバイコンポーネント繊維による、２０ｇｓｍの通気性カード不織布基材）により作製された外側シート及び外側カバー層、並びにＦｉｂｅｒｔｅｘから入手可能な商標名ＨＹ１５０１５−ＭＡＬＡＹＳＩＡ−Ｖ２（１５ｇｓｍのＰＰスパンボンド不織布基材）により作製された内側シートを備える、図２の構成、及び表１の弾性プロファイルを有するサイズ４のベルト型パンツ物品。
【００６８】
例Ａ：２０１５年１０月〜１１月の間に、中華人民共和国において購入した、「Ａｎｅｒｌｅｓ  Ｇｏｌｄ  Ｐａｎｔｓ」という商標名により販売されているサイズ４のベルト型パンツ物品。
【００６９】
例Ｂ：ロット番号２０１６０６１４ＣＡ１１４４００５１９、２７を有する、２０１６年１０月〜１２月の間に、中華人民共和国において購入した、「ＧｏｏＮ  Ｐｒｅｍｉｕｍ  Ｐａｎｔｓ」という商標名により販売されているサイズ４のベルト型パンツ物品のサイズ４のユニボディ型パンツ物品。
【００７０】
例Ｃ：ロット番号２０１５０１２４ＥＯＣ３０２４５を有する、２０１５年１０月〜１１月の間に、中華人民共和国において購入した、「Ｍｅｒｒｉｅｓ  Ｐａｎｔｓ」という商標名により販売されているサイズ４のユニボディ型パンツ物品。
【００７１】
【表２】
2020508148.tif 000004
（＊１）表１の腹部カットは、中央シャーシ３８と重なる弾性ストランドの中央領域における、弾性体の取り除きを指し、これにより、弾性体は６６％の有効長さとなる。
【００７２】
例１及びＡ〜Ｃの外側カバー層に、上記の繊維表面モルホロジー分析を行い、以下の表２及び３にあるような結果をもたらした。
【００７３】
【表３】
2020508148.tif 000005
【００７４】
【表４】
2020508148.tif 000006
（＊２）リスク１０％で残りの実施例と統計学的に有意に異なる
【００７５】
例１及びＡ〜Ｃの物品に、上記の物品全体力測定を行い、以下の表４にあるような結果をもたらした。
【００７６】
【表５】
2020508148.tif 000007
【００７７】
消費者承認試験
１日あたり最低３枚のパッドの頻度でサイズ４のパンツおむつを使用し、メジャーブランドの「Ｍｅｒｒｉｅｓ」、「Ｈｕｇｇｉｅｓ  Ｇｏｌｄ」及び「Ｐａｍｐｅｒｓ」の入り交じった使用経験を有する、赤ちゃんの世話人であるパネリスト３０名を動員した。各パネリストに、表上のすべての９種の試験製品を供与した。９種の試験製品の中に、実施例１、Ａ及びＣを含ませた。実施例Ｂを含ませなかった。パネリストに質問をし、各質問に関して、表の１〜１０の尺度で９種の製品を分類した。３０名のパネリストの評点を、表５のような報告に関して平均した。（実施例１、Ａ及びＣを除く９種の製品の残りは、衣類面側「Ｈｕｇｇｉｅｓ  Ｇｏｌｄ  Ｐａｎｔｓ」、「Ｈｕｇｇｉｅｓ  Ｓｉｌｖｅｒ  Ｐａｎｔｓ」、「Ｍａｍｍｙ  Ｐｏｋｏ  Ｐａｎｔｓ」、「Ａｎｅｒｌｅ  Ｓｉｌｖｅｒ  Ｐａｎｔｓ」及び「Ｇｏｏｎ  Ｐａｎｔｓ」（すべて、２０１５年１０月〜１１月の間に中華人民共和国で購入した）に関して、本発明ではない不織布材料を使用した以外、実施例１と類似の別のプロトタイプであった）。
【００７８】
【表６】
2020508148.tif 000008
【００７９】
本発明のパラメトリック要件を満たす本発明の実施例１は、「総合的な好み」に対する高い承認、並びに「ソフトである」及び「下着のようである」という最高の承認を有している一方、本発明のパラメトリック要件を満たさない他の実施例は、少なくとも一部の観点において、消費者承認は、わずかからかなり劣る。本発明のパラメータは、物品によりもたらされる触感及び審美的感覚を考慮して、消費者承認の良好な予測性を実現する。
【００８０】
本明細書で開示する寸法及び値は、列挙された正確な数値に厳密に限られるとして理解されるべきではない。その代わりに、特に指示がないかぎり、このような寸法はそれぞれ、列挙された値とその値を囲む機能的に同等な範囲との両方を意味することが意図されている。例えば、「４０ｍｍ」と開示された寸法は、「約４０ｍｍ」を意味するものとする。更に、本明細書全体で示されている各数値範囲は、このようなより幅広い数値範囲内に収まる、より狭い数値範囲のそれぞれを含む。
【００８１】
相互参照される又は関連特許若しくは出願のいずれも含めた、本明細書に引用されているすべての文書は、明示的に除外される、又は特に限定されないかぎり、参照によりその全体が本明細書に組み込まれている。いかなる文献の引用をも、本明細書中で開示又は特許請求されている任意の発明に関する先行技術であるとは認められず、或いは上記の引用は、単独で又は他の任意の参考文献（単数又は複数）と組み合わせて、そのような任意の発明を教示、示唆又は開示するとは認められない。更に、本文書における用語の任意の意味又は定義が、参照により組み込まれた文書内の同じ用語の意味又は定義と矛盾する場合、本文書におけるその用語に割り当てられた意味又は定義が適用されるものとする。
【００８２】
本発明の特定の実施形態を例示及び説明してきたが、本発明の趣旨及び範囲から逸脱することなく他のさまざまな変更及び修正を行うことができる点は当業者には明白であろう。したがって、本発明の範囲内に含まれるそのようなすべての変更及び修正は、添付の特許請求の範囲にて網羅することを意図したものである。
【図１】
2020508148.tif 000009
【図２】
2020508148.tif 000010
【図３】
2020508148.tif 000011
【図４Ａ】
2020508148.tif 000012
【図４Ｂ】
2020508148.tif 000013
【図４Ｃ】
2020508148.tif 000014
【図４Ｄ】
2020508148.tif 000015
【図５Ａ】
2020508148.tif 000016
【図５Ｂ】
2020508148.tif 000017
【図５Ｃ】
2020508148.tif 000018
【図５Ｄ】
2020508148.tif 000019
【図６】
2020508148.tif 000020
【国際調査報告】
2020508148.tif 000021
2020508148.tif 000022